(57)【特許請求の範囲】
【請求項１】
内部を循環する熱媒と空気を熱交換させる熱交換器と、前記熱交換器に流れる熱媒の流量を制御するバルブと、前記熱交換器で熱交換した空気を室内へ吹き出させるための送風用ファンと、前記熱交換器の温度を検出する熱交換器温度センサと、室温を検出する室温検知センサと、前記室温検知センサの検出値に基づいて前記バルブを開閉制御するバルブ制御手段と、前記熱交換器温度センサの検出値及び前記バルブの開閉制御状態に基づいて前記送風用ファンの回転数を制御するファン回転数制御手段とを備えた浴室用空調機であって、
前記バルブ制御手段は、前記室温検知センサの検出値がオフ時の設定値を下から上へ超えると前記バルブを閉じる方向へ動作させ、前記室温検知センサの検出値がオン時の設定値を上から下へ超えると前記バルブを開く方向へ動作させるものであり、
前記ファン回転数制御手段は、前記熱交換器温度センサの検出値が高くなるほど回転数が大きくなるように前記送風用ファンを制御すると共に、前記バルブが開く方向に動作した状態では、前記送風用ファンの最低送風レベルでは前記送風用ファンを停止させ、前記バルブが閉じる方向に動作した状態では、前記送風用ファンの最低送風レベルでは前記送風用ファンを微弱運転させるものである、
ことを特徴とする浴室用空調機。
【請求項２】
前記室温検知センサは浴室内の空気を吸い込む吸気口付近に配置され、前記送風用ファンの微弱運転時にも浴室の温度を検出し、所定温度まで室温が低下した場合には、再度前記バルブを開く方向へ動作させて前記熱交換器による温水加熱を再開させるようにしたことを特徴とする、請求項１に記載の浴室用空調機。
【請求項３】
前記室温検知センサが異常温度上昇を検知した場合には、空調運転を停止させるようにしたことを特徴とする、請求項１又は２に記載の浴室用空調機。
【請求項４】
空調運転停止後、前記送風用ファンを熱交換器温度が所定温度まで下がるまで運転させるようにしたことを特徴とする、請求項１ないし３のうちいずれか１項に記載の浴室用空調機。
【発明の詳細な説明】
【０００１】
【発明の属する技術分野】
本発明は、浴室用空調機に関し、特に温水を利用した浴室用空調機に関する。
【０００２】
【従来の技術】
従来より、浴室用乾燥機が用いられている。これは浴室を乾燥室に転用できるようにしたものであって、浴室内に吊るした衣類等に温風を吹き当てることにより、急速に乾燥させることができるようにしたものである。この浴室乾燥機は、乾燥機能とともに、浴室を暖房する空調機能を備えており、入浴前あるいは入浴中に浴室を暖房することができるようになっていた。
【０００３】
【発明が解決しようとする課題】
しかし、従来の浴室乾燥機に代表される浴室用空調機では、温風を吹き出して浴室内を暖房することができるようになっていただけであり、例えばリモートコントローラ等から設定温度を入力し、設定温度に応じて浴室内の室温制御を行なえるようになっていなかった。
【０００４】
そのため季節に応じて浴室内温度を調整したり、入浴者の要求に応じて浴室内温度を調整したりすることができないばかりか、浴室内温度をほぼ一定に保つこともむつかしかった。
【０００５】
また、従来の浴室乾燥機による暖房運転では、暖房開始時のように熱交換器温度が低い場合には冷風が吹き出される。入浴者は裸でいるから、この冷風に非常に敏感であり、冷風が当たると入浴者が冷風感を感じて寒くなるという問題があった。
【０００６】
本発明は上記従来例の欠点に鑑みてなされたものであり、その目的とするところは、浴室内の温度をほぼ一定に保つことができ、しかも、入浴者に冷風が吹き当たりにくい浴室用空調機を提供することにある。
【０００７】
【課題を解決するための手段とその作用】
請求項１に記載の浴室用空調機は、内部を循環する熱媒と空気を熱交換させる熱交換器と、前記熱交換器に流れる熱媒の流量を制御するバルブと、前記熱交換器で熱交換した空気を室内へ吹き出させるための送風用ファンと、前記熱交換器の温度を検出する熱交換器温度センサと、室温を検出する室温検知センサと、前記室温検知センサの検出値に基づいて前記バルブを開閉制御するバルブ制御手段と、前記熱交換器温度センサの検出値及び前記バルブの開閉制御状態に基づいて前記送風用ファンの回転数を制御するファン回転数制御手段とを備えた浴室用空調機であって、前記バルブ制御手段は、前記室温検知センサの検出値がオフ時の設定値を下から上へ超えると前記バルブを閉じる方向へ動作させ、前記室温検知センサの検出値がオン時の設定値を上から下へ超えると前記バルブを開く方向へ動作させるものであり、前記ファン回転数制御手段は、前記熱交換器温度センサの検出値が高くなるほど回転数が大きくなるように前記送風用ファンを制御すると共に、前記バルブが開く方向に動作した状態では、前記送風用ファンの最低送風レベルでは前記送風用ファンを停止させ、前記バルブが閉じる方向に動作した状態では、前記送風用ファンの最低送風レベルでは前記送風用ファンを微弱運転させるものであることを特徴としている。ここで、バルブは不連続的に流量を制御するもの（たとえば、開閉型のもの）でもよく、連続的に流量を制御するもの（たとえば、流量調整型のもの）でもよい。
【０００８】
請求項１に記載の浴室用空調機にあっては、熱交換器に流れる熱媒の流量を制御するバルブと、室温検知センサの検出値に基づいてバルブを開閉制御するバルブ制御手段と、熱交換器温度センサの検出値及びバルブの開閉制御状態に基づいて送風用ファンの回転数を制御するファン回転数制御手段とを備え、室温検知センサの検出値がオフ時の設定値を下から上へ超えるとバルブを閉じる方向へ動作させ、室温検知センサの検出値がオン時の設定値を上から下へ超えるとバルブを開く方向へ動作させるようにし、熱交換器温度センサの検出値が高くなるほど回転数が大きくなるように送風用ファンを制御しているので、室温がほぼ安定するようにバルブを開閉制御して熱媒の流量を調節すると共に送風用ファンの回転数を制御して風量を調節することができ、浴室内の温度をほぼ均一に保つことが可能になる。
【０００９】
また、請求項１の浴室用空調機にあっては、熱交換器温度センサの検出値とバルブの開閉制御状態とに基づいて送風用ファンの回転数を制御するファン回転数制御手段を備え、熱交換器温度センサの検出値が高くなるほど回転数が大きくなるように送風用ファンを制御すると共に、バルブが開く方向に動作した状態では、送風用ファンの最低送風レベルでは送風用ファンを停止させている。従って、室温が低くてバルブが開く方向に動作した状態では、熱交換器温度が低いうちは送風用ファンを弱運転して冷風が入浴者に届きにくくすると同時に、熱交換器温度が高くなるにつれて送風用ファンを強運転し、急速に室温を設定温度に近づけるようにできる。特に、送風用ファンの最低送風レベルでは送風用ファンを停止させるようにしているので、熱交換器温度が水温程度に低い場合（例えば、暖房運転開始時）に熱交換器で冷えた冷風を吹き出して入浴者に直接冷風を吹き付けることが無く、入浴者に冷風感を感じさせることがない。
【００１０】
また、室温が高くてバルブが閉じる方向に動作した状態では、送風用ファンにより強風を吹出すと熱交換器温度が急速に低下し、しかもその冷風が入浴者に向けて吹き出されることになる。一方、送風を停止すると、浴室内の空気が循環しないので、室温検知センサによって室内温度を正確に検出できなくなり、室温が下がり続ける恐れがある。これに対し、請求項１の浴室用空調機では、室温が高くてバルブが閉じる方向に動作した状態では、熱交換器温度センサの検出値が低くなるほど回転数が小さくなるように送風用ファンを制御し、送風用ファンの最低送風レベルでは送風用ファンを停止させることなく微弱運転させるようにしているので、冷風の吹き出しを弱くして入浴者に冷風が吹き付けないようにしながら室内の空気を循環させて室内温度を正確に検出することができ、正確に室温制御を行なうことができる。
【００１３】
請求項２に記載の浴室用空調機は、請求項１に記載した浴室用空調機において、前記室温検知センサが浴室内の空気を吸い込む吸気口付近に配置され、前記送風用ファンの微弱運転時にも浴室の温度を検出し、所定温度まで室温が低下した場合には、再度前記バルブを開く方向へ動作させて前記熱交換器による温水加熱を再開させるようにしたことを特徴としている。
【００１４】
請求項２に記載の浴室用空調機にあっては、前記バルブが閉じる方向へ動作させられて送風用ファンが微弱運転されている場合にも室温検知センサにより室温を検知するようにしているので、室温が所定温度まで低下した場合には、再びバルブを開く方向へ動作させ、室温を上昇させることができる。特に、室温検知センサを浴室の空気を吸い込む吸気口付近に設けているので、送風用ファンが微弱運転されている場合でも、室温を正確に検知することができる。
【００１５】
請求項３に記載の浴室用空調機は、請求項１又は２に記載の浴室用空調機における前記室温検知センサが異常温度上昇を検知した場合には、空調運転を停止させるようにしたことを特徴としている。
【００１６】
請求項３に記載の浴室用空調機にあっては、室温検知センサが異常温度上昇を検知した場合には、空調運転を停止させるようにしているから、浴室用空調機の暴走を防止し、浴室用空調機の安全性を高めることができる。特に、浴室内では異常に気がついてもただちに処置しにくいことも多いので、自動的に空調運転を停止させることにより安全性を高める効果が高い。
【００１７】
請求項４に記載の浴室用空調機は、請求項１ないし３のうちいずれか１項に記載の浴室用空調機において、空調運転停止後、前記送風用ファンを熱交換器温度が所定温度まで下がるまで運転させるようにしたことを特徴としている。
【００１８】
請求項４に記載の浴室用空調機にあっては、空調運転停止後、送風用ファンを熱交換器温度が所定温度まで下がるまで運転させるようにしているから、空調運転停止後に浴室用空調機の内部に溜まっている熱気を追い出し、浴室用空調機の温度を下げることができる。従って、浴室用空調機の樹脂製ケースやその他樹脂製部品あるいは部品の接着部分などの損傷を防止し、浴室用空調機の耐用年数を延ばすことができる。
【００１９】
【発明の実施の形態】
（浴室用空調機の構造）
図１は浴室の壁面や天井に設置される温水循環形式の浴室用空調機１の内部構造を示す概略図である。この浴室用空調機１内には、高温の湯を循環させるための循環パイプ２が配管されており、循環パイプ２の一部には放熱用のフィンを有する熱交換器（放熱器）３が構成されている。また、循環パイプ２には熱動弁４が設けられている。循環パイプ２には給湯器等の熱源機５が接続されており、熱源機５により循環パイプ２に高温の湯が供給される。６は熱交換器３の温度を検知するための熱交換器温度センサであって、熱交換器３に取り付けられている。熱交換器３と対向して浴室用空調機１のケース７には吸気口８が開口されており、吸気口８と熱交換器３の間にはフィルタ９が設けられている。１０は室温検知センサであって、熱交換器３からある程度離れた位置であって、吸気口８付近に設置されている。さらに、ケース７の吸気口８と反対側には、ルーバーを備えた温風吹出し口１１が設けられており、熱交換器３と温風吹出し口１１との間には、モータ１２によって回転駆動されるフロースルーファンのような循環ファン（送風用ファン）１３が設けられている。
【００２０】
また、循環ファン１３の横には、モータ１４によって回転駆動されるシロッコファンのような換気ファン１５が設けられており、吸気口８からケース７内に吸い込まれた空気（湿気）は換気ファン１５により排気口１６を通じて屋外へ排出される。
【００２１】
浴室用空調機１はリモートコントローラ１７を備えており、リモートコントローラ１７の操作により乾燥運転と暖房運転に切り替えることができ、またリモートコントローラ１７から暖房運転の強弱ないし設定温度を入力できるようになっている。
【００２２】
浴室用空調機１は内蔵のコントローラ１８によって制御されるようになっている。コントローラ１８は、乾燥運転時には、室温制御を行なわず、タイマによって設定された時間連続運転する。これに対し、暖房運転時には、室温検知センサ１０によって浴室用空調機１の近傍の室温を検出し、それに基づいて熱動弁４を開閉制御し、さらに熱交換器温度センサ６により検知された熱交換器温度および熱動弁４の開閉状態に応じて循環ファン１３の回転数を制御することにより、室温制御を行なう。
【００２３】
（熱動弁の制御方法）
まず、熱動弁４の制御について説明する。熱動弁４は、室温検知センサ１０の検知温度により開閉制御される。リモートコントローラ１７からは、浴室用空調機１による暖房運転の強弱、たとえば「高」、「中」、「低」（より細かく設定できるようにしてもよい）を設定できるようになっているとすると、「高」、「中」、「低」のいずれかの選択に応じて所定の室温（設定温度）で熱動弁４が開かれ（以下、オンという）、所定の室温で熱動弁４が閉じられる（以下、オフという）。暖房運転の強弱と熱動弁４がオン、オフされる室温との関係を表１に示す。
【００２４】
【表１】
0003889182.tif 000002
【００２５】
これにより、浴室内の温度は、「高」で暖房運転している場合には約４１〜４２℃の設定温度に保たれ、「中」で暖房運転している場合には約３８〜３９℃の設定温度に保たれ、「低」で暖房運転している場合には約３５〜３６℃の設定温度に保たれる。
【００２６】
（循環ファンの制御方法）
また、循環ファン１３は、後述のように熱動弁４がオン時には「強」、「中」、「弱」に切り替えられるようになっており、熱動弁４がオフ時には「弱」と「微弱」に切替えられるようになっている。ここで、循環ファン１３の送風レベルが「強」、「中」、「弱」、「微弱」となっているときのファン回転数はたとえば次の表２のようになる。
【００２７】
【表２】
0003889182.tif 000003
【００２８】
図２は熱動弁４がオンとなっている場合における、熱交換器温度と循環ファン１３の送風レベルとの関係を示す図である。この図は、熱交換器温度が上昇時には、循環ファン１３の送風レベルを
Ｔ２未満          ：  停止
Ｔ２以上Ｔ４未満  ：  弱
Ｔ４以上Ｔ６未満  ：  中
Ｔ６以上          ：  強
となるように制御し、熱交換器温度が下降時には、循環ファン１３の送風レベルを
Ｔ５以上          ：  強
Ｔ３以上Ｔ５未満  ：  中
Ｔ１以上Ｔ３未満  ：  弱
Ｔ１未満          ：  停止
となるように制御することを表わしている。ここに、上記温度Ｔ１〜Ｔ６は、たとえばＴ１℃＝４３℃、Ｔ２℃＝４５℃、Ｔ３＝４７℃、Ｔ４＝４９℃、Ｔ５＝５１℃、Ｔ６＝５３℃である。
【００２９】
熱交換器温度の上昇時（たとえば、暖房運転開始時）には、熱交換器３を循環する温水温度（熱交換器温度）が低くてＴ２未満の場合には循環ファン１３を停止する。これは、温水温度が低いときに循環ファン１３を運転して冷風を吹き出し、入浴者に冷風感を感じさせないようにするためである。また、Ｔ２以上では循環ファン１３を運転開始すると共に段階的に循環ファン１３のファン回転数を大きくしている。これは、温水温度が低いうちは循環ファン１３を弱運転して冷風が入浴者に届きにくくすると同時に、温水温度が高くなるにつれて循環ファン１３を強運転し、急速に室温を設定温度に近づけるようにするためである。
【００３０】
また、熱動弁４がオンで熱交換器温度が下降してきた場合（たとえば、熱動弁４が開いて温水が循環しているが、熱源機５の能力が一時的に低下して熱交換器温度が下がってきた場合）には、熱交換器温度の上昇時よりも循環ファン１３のファン回転数を少し（１／２レベル）上げて運転する。この状態で、熱交換器温度が再び上昇するまで待機させる。さらに熱交換器温度が低下してＴ１未満になった場合には、循環ファン１３を停止し、冷風の吹き出しを防止する。
【００３１】
これに対し、熱動弁４がオフの場合には、熱動弁４がオンの場合とは異なる送風レベルを用いて循環ファン１３が制御される。すなわち、図３は熱動弁４がオフとなっている場合における、熱交換器温度と循環ファン１３の送風レベルとの関係を示す図である。この図は、熱交換器温度が上昇時には、循環ファン１３の送風レベルを
Ｔ８未満    ：  微弱
Ｔ８以上    ：  弱
となるように制御し、熱交換器温度が下降時には、循環ファン１３の送風レベルを
Ｔ７以上    ：  弱
Ｔ７未満    ：  微弱
となるように制御することを表わしている。ここで、上記温度Ｔ７及びＴ８は、たとえばＴ７＝５１℃、Ｔ８＝５３℃である。
【００３２】
本発明の浴室用空調機１にあっては、室内温度が設定温度（熱動弁オフ温度）に達すると、室内温度が上昇し過ぎるのを防止するため、直ちに熱動弁４をオフにすると共に循環ファン１３の送風レベルを図３のレベルに切り換え、循環ファン１３による送風量をダウンさせる。
【００３３】
また、室内温度が設定温度に達して熱動弁４がオフになった場合には、循環ファン１３により強風を吹出すと熱交換器温度が急速に低下し、しかもその冷風が入浴者に向けて吹き出されることになる。一方、送風を停止すると、浴室内の空気が循環しないので、室温検知センサ１０によって室内温度を正確に検出できなくなり、室温が下がり続ける恐れがある。そのためにも、熱動弁４がオフになった場合には、図３のような送風レベルに切り換えて循環ファン１３を弱運転し、さらに熱交換器温度が下がると循環ファン１３のファン回転数を落として送風を微弱にし、冷風の吹き出しを弱くしながら室内の空気を循環させて室内温度を正確に検出できるようにしている。特に、このとき室温検知センサ１０は、浴室の空気を吸い込む吸気口８付近に設けられているため、より正確に浴室の温度を検出できる。なお、室温が低下して熱動弁４が再びオンになると、循環ファン１３の制御も再び図２のような送風レベルに切り換えられる。
【００３４】
（過昇防止制御）
また、暖房運転中に室温が設定温度（熱動弁オフ温度）を超えて異常温度上昇し、過昇検出温度（＞＞熱動弁オフ温度）を超えた場合（図４に破線で示す）には、コントローラ１８は強制的に熱源機５を運転停止させ、室温の異常温度上昇を阻止する。この後は、警報ブザーを鳴らして点検をうながすようにしてもよく、あるいは、室温が熱動弁オン温度よりも下がったときに再び熱源機５を稼働させ、暖房運転を続けるようにしてもよい。
【００３５】
（ポストパージ）
また、浴室用空調機１の暖房運転が停止すると、熱源機５が給湯動作を停止し、熱動弁４も閉じられる。この運転停止後も熱交換器温度が所定温度（たとえば、５１℃）より高い間、循環ファン１３は通常よりも低回転でポストパージ運転を行なう。すなわち、暖房運転停止後、ただちに循環ファン１３を停止させると、樹脂製のケース７や器具の樹脂接合部、回路基板の防湿用コーティング膜などが損傷する恐れがある。そのため暖房運転停止後も一定時間の間は循環ファン１３を運転して浴室用空調機１の内部の熱を放熱させ、浴室用空調機１の損傷を防止する。
【００３６】
（クリーニング運転）
なお、換気ファン１５を１５分以上運転して浴室内の湿気を屋外へ排出した後は、循環ファン１３を１５分程度運転して浴室用空調機１の内部を乾燥させるようにしてもよい。
【００３７】
（具体的な運転例）
しかして、この浴室用空調機１は、上記のような制御方式を採用しているので、運転開始から運転終了までの動作状態は、たとえば図４で表わされる。図４において、（ａ）は室内温度の変化を示し、（ｂ）は浴室用空調機１に設けられている運転ランプ（運転表示用ＬＥＤ）のオン（点灯）・オフ（消灯）を示し、（ｃ）は熱動弁４のオン（開）・オフ（閉）を示し、（ｄ）は循環ファン１３のオン（上記制御方式で送風している状態）・オフ（停止）を示し、（ｅ）は熱源機５のオン（運転）・オフ（運転停止）を示している。
【００３８】
時刻ｔ１にリモートコントローラ１７からコントローラ１８へ運転指令が入力されると、浴室用空調機１が暖房運転を開始して運転ランプを点灯させる。一方、コントローラ１８からの信号によって熱源機５が運転される。同時に、循環パイプ２に設けられた熱動弁４が開かれ、熱源機５から温水が供給されるまで待つ。
【００３９】
こうして暖房運転が開始すると、室温が設定温度（熱動弁オフ温度）に達して熱動弁４が閉じられるまでの間は、図２に示したような送風レベルにより循環ファン１３が制御される。すなわち、熱交換器温度がＴ２未満の場合には、循環ファン１３を停止しておき、熱源機５から供給された温水によって熱交換器温度がＴ２よりも上昇すると、冷風防止と室温検知のために循環ファン１３が弱レベルで送風運転される。さらに熱交換器温度が上昇し、Ｔ４以上になると循環ファン１３が中レベルで送風し、Ｔ６以上になると循環ファン１３は強レベルで送風し、室温が設定温度（熱動弁オフ温度）に達するまで強送風を行なう。
【００４０】
時刻ｔ２に室温検知センサ１０の検出値が設定温度（熱動弁オフ温度）に達すると、熱動弁４が閉じられる。熱動弁４が閉じられると、循環ファン１３は図３に示したような送風レベルにより制御される。すなわち、熱動弁４が閉じられると循環ファン１３を弱にして過昇を防止すると共に冷風の吹き出しを抑制する。さらに、室温が下がると循環ファン１３を微弱運転し、冷風感を抑え、かつ浴室内温度を検知する。
【００４１】
こうして時刻ｔ３に室温が熱動弁オン温度まで下がると、再び熱動弁４が開かれ、循環ファン１３は再び図２の送風レベルに切り替わる。
【００４２】
本発明の浴室用空調機１にあっては、上記のようにして熱動弁４が熱動弁オン温度と熱動弁オフ温度との間でオン・オフを繰り返し、それに応じて循環ファン１３の制御が図２の送風レベルと図３の送風レベルとに切り替わることにより、浴室内温度を設定温度近傍に維持すると共に冷風の吹き出しを防止する。
【００４３】
なお、上記実施形態では、循環パイプ２に熱動弁４を設け、熱動弁４がオンの場合とオフの場合とで循環ファン１３のファン回転数制御レベルを異ならせるようにしたが、循環パイプ２に流量制御弁を設けて熱交換器３に流れる温水流量を制御できるようにし、熱交換器３に流れる温水流量に応じて、熱交換器温度に対する循環ファン１３のファン回転数レベルを異ならせるようにしてもよい。
【００４４】
【発明の効果】
請求項１に記載の浴室用空調機によれば、室温検知センサの検出値に基づいてバルブを制御しているから、室温がほぼ安定するようにバルブを制御することができ、浴室内の温度をほぼ均一に保つことが可能になる。また、熱交換器温度センサの検出値に基づいて送風用ファンの回転数を制御しているから、熱交換器温度が低い場合には、送風用ファンの回転数を小さくして送風を弱くすることにより、冷風などが入浴者に直接当たるのを抑えることができる。
【００４５】
また、請求項２に記載の浴室用空調機によれば、熱交換器温度センサの検出値とバルブの制御状態とに基づいてファン回転数を制御しているから、熱交換器に熱媒が流れているか否か、あるいはその流量等に応じ、熱交換器温度に対するファン回転数を異ならせることができ、ファン回転数を最適に制御することができる。たとえば、暖房運転でバルブが閉じられている場合や低流量の場合には、熱交換器温度に対するファン回転数を小さくすることにより、冷風等の吹き出しを抑制しながら室内温度を正確に検知し、正確に室温制御を行なわせることができる。
【００４６】
請求項３に記載の浴室用空調機によれば、室温が設定温度に達してバルブが閉じる方向へ動作させられた場合には、熱交換温度センサの検出値が所定温度より低下したときに送風用ファンを微弱運転させるようにしているので、室内の空気を循環させて室内温度を正確に検知することができる。しかも、送風用ファンは微弱運転されているので、冷風が強く吹き出されて入浴者に冷風感を与えるのを防止することができる。
【００４７】
請求項４に記載の浴室用空調機によれば、前記バルブが閉じる方向へ動作させられて送風用ファンが微弱運転されている場合にも室温検知センサにより室温を検知するようにしているので、室温が所定温度まで低下した場合には、再びバルブを開く方向へ動作させ、室温を上昇させることができる。特に、室温検知センサを浴室の空気を吸い込む吸気口付近に設けているので、送風用ファンが微弱運転されている場合でも、室温を正確に検知することができる。
【００４８】
請求項５に記載の浴室用空調機によれば、室温検知センサが異常温度上昇を検知した場合には、空調運転を停止させるようにしているから、浴室用空調機の暴走を防止し、浴室用空調機の安全性を高めることができる。特に、浴室内では異常に気がついてもただちに処置しにくいことも多いので、自動的に空調運転を停止させることにより安全性を高める効果が高い。
【００４９】
請求項６に記載の浴室用空調機によれば、空調運転停止後、送風用ファンを熱交換器温度が所定温度より高い間運転させるようにしているから、空調運転停止後に浴室用空調機の内部に溜まっている熱気を追い出し、浴室用空調機の温度を下げることができる。従って、浴室用空調機の樹脂製ケースやその他樹脂製部品あるいは部品の接着部分などの損傷を防止し、浴室用空調機の耐用年数を延ばすことができる。
【図面の簡単な説明】
【図１】本発明の一実施形態による浴室用空調機の内部構造を示す概略図である。
【図２】熱動弁がオン時における、熱交換器温度と循環ファンのファン回転数制御レベルとの関係を示す図である。
【図３】熱動弁がオフ時における、熱交換器温度と循環ファンのファン回転数制御レベルとの関係を示す図である。
【図４】浴室用空調機の運転開始から運転終了までの各部の動作を示す説明図である。
【符号の説明】
２  循環パイプ
３  熱交換器
４  熱動弁
６  熱交換器温度センサ
１０  室温検知センサ
１１  温風吹出し口
１７  リモートコントローラ
１８  コントローラ
【図１】
0003889182.tif 000004
【図２】
0003889182.tif 000005
【図３】
0003889182.tif 000006
【図４】
0003889182.tif 000007